(57)【要約】【課題】  カセット式コネクタによってオーディオ信号を出力し、車の音響と相まってオーディオ信号をスピーカへ伝送して放送し、更にはハンドフリーホンを形成できるブルートゥース無線イヤホンの提供。【解決手段】  本考案は、ブルートゥース無線イヤホンの任意の位置に、直接又は間接的にマイクロホン若しくはカセット式コネクタと接続できる一個以上のコネクタを設置し、ブルートゥース携帯電話を使用するとき、マイクロホンを車の適当な位置に固定し、且つマイクロホン信号線の端子をブルートゥース無線イヤホンのコネクタに挿し込み、或いは直接ブルートゥース無線イヤホンに内蔵されたマイクロホンによって音声を接収することのできるコネクタを備えたブルートゥース無線イヤホン。【選択図】図１
0003111782.tif 000002
【実用新案登録請求の範囲】
【請求項１】
ブルートゥース無線イヤホンの任意の位置に一個以上のコネクタを設置し、
前記コネクタをイヤホン内部の電気回路基板と接続し、
且つ直接又は間接的に外部製品と接続できることを特徴とする、
コネクタを備えたブルートゥース無線イヤホン。
【請求項２】
前記外部製品はマイクロホン・カセット式コネクタ或いは充電器であることを特徴とする、
請求項１に記載の、コネクタを備えたブルートゥース無線イヤホン。
【請求項３】
前記ブルートゥース無線イヤホンは、ケース外部に第一コネクタ及び第二コネクタを設置し、
前記第一コネクタはマイクロホンと接続し、第二コネクタはカセット式コネクタと接続して、車用ハンドフリーホンを形成できることを特徴とする、
請求項１に記載の、コネクタを備えたブルートゥース無線イヤホン。
【請求項４】
前記ブルートゥース無線イヤホンは、ケース外部に一個のコネクタを設置し、
前記コネクタはカセット式コネクタと接続し、且つイヤホンに内蔵されたマイクロホンと組み合わせることによって車用ハンドフリーホンを形成できることを特徴とする、
請求項１に記載の、コネクタを備えたブルートゥース無線イヤホン。
【請求項５】
前記ブルートゥース無線イヤホンは、ケース外部に一個のコネクタを設置し、前記コネクタをマイクロホン・カセット式コネクタ及び車用充電端子と連結した接続端子と相互接続することによって、随時充電して使用できる車用ハンドフリーホンを形成できることを特徴とする、
請求項１に記載の、コネクタを備えたブルートゥース無線イヤホン。
【請求項６】
前記ブルートゥース無線イヤホンは、ケース外部に一個のコネクタを設置し、前記コネクタを充電器と接続することによってブルートゥース無線イヤホンに対して充電する目的を達成できることを特徴とする、
請求項１に記載の、コネクタを備えたブルートゥース無線イヤホン。
【請求項７】
前記コネクタとマイクロホンの間若しくはコネクタとカセット式コネクタの間にアダプタ延長コードの増設を選択できることを特徴とする、
請求項３に記載の、コネクタを備えたブルートゥース無線イヤホン。
【請求項８】
前記コネクタとカセット式コネクタの間に、アダプタ延長コードの増設を選択できることを特徴とする、
請求項４に記載の、コネクタを備えたブルートゥース無線イヤホン。
【請求項９】
前記コネクタは、三つの入力側と一つの出力側を備えた接続端子であってよく、前記入力端子は適時にマイクロホン・カセット式コネクタ又は車用充電端子と接続でき、前記出力側はブルートゥース無線イヤホンのコネクタと接続できることを特徴とする、
請求項５に記載の、コネクタを備えたブルートゥース無線イヤホン。
【考案の詳細な説明】
【技術分野】
【０００１】
本考案は、コネクタを備えたブルートゥース（登録商標）無線イヤホン、特にコネクタとカセット式コネクタを組み合わせ、或いはマイクロホン又は直接ブルートゥース無線イヤホンに内蔵されたマイクロホンと一緒に使用し、ハンドフリーホンの機能を持たせたブルートゥース無線イヤホンに関するものである。
【背景技術】
【０００２】
事故の発生を避けるため、法令の規定により、運転者は車の運転中に携帯電話を使用してはならないことになっている。
これに伴い、各種の車用ハンドフリーホンが開発されている、しかし、車用ハンドフリーホンは通常車内に固定されており、運転者が車を離れた後は使用できない。従って従来の車用ハンドフリーホンは使用環境上の制限を受ける。
ブルートゥース技術を応用したブルートゥース無線イヤホンが出現し、且つブルートゥース携帯電話と組み合わせて使用することによって、上述使用上の問題を解決できる。運転者はブルートゥース無線イヤホンを耳に付け、ブルートゥース携帯電話と組み合わせて使用し、車の走行中に通信する目的を果たすことができる。
又、運転者が車を離れた後も、環境変化の影響を受けず、続けて使用できる。しかし、上述の使用方式にはなお問題がある、若し運転者が長時間運転をする場合、運転者の耳に付けたイヤホンが不快感をもたらすので、長時間の使用には不適である、従ってブルートゥース無線イヤホンの出現は、まだ問題を解決したとはいえない。
このように、上述従来製品には尚幾多の欠点があり、よい設計とはいい難く、改良が待たれていた。
本考案者は、上述従来製品に派生する各項の欠点に鑑み、極力新規改良を試み、永年苦心研鑽の末、ついに本件に係るコネクタを備えたブルートゥース無線イヤホンの研究開発に成功した。
【考案の開示】
【考案が解決しようとする課題】
【０００３】
本考案の目的は、ユーザーが直接耳に付け、或いはマイクロホン若しくはカセット式コネクタに接続して、車の上に置き、車用フリーハンドホンとして使用できるコネクタを備えたブルートゥース無線イヤホンを提供することにある。
本考案のもう一つの目的は、コネクタをブルートゥース無線イヤホンの任意の位置に設け、複雑な電気回路の設計を使用せず、一台で二つの機能を兼ねてもたらすことのできるコネクタを備えたブルートゥース無線イヤホンを提供することにある。
本考案のもう一つ別の目的は、前記コネクタは各種形式のコネクタであってよく、且つアダプタ延長コードによって設置の便利さを向上させることのできるコネクタを備えたブルートゥース無線イヤホンを提供することにある。
本考案の又もう一つ別の目的は、構造が簡単で、使いやすく、マルチ機能で製品の寿命が長いという長所を持ったコネクタを備えたブルートゥース無線イヤホンを提供することにある。
【課題を解決するための手段】
【０００４】
上記のような課題を解決するために、本願の第１考案に係るコネクタを備えたブルートゥース無線イヤホンは、ブルートゥース無線イヤホンの任意の位置に一個以上のコネクタを設置し、前記コネクタをイヤホン内部の電気回路基板と接続し、且つ直接又は間接的に外部製品と接続できることを特徴とするものである。
【０００５】
本願の第２考案に係るコネクタを備えたブルートゥース無線イヤホンは、前記第１の考案であって、前記外部製品はマイクロホン・カセット式コネクタ或いは充電器であることを特徴とするものである。
【０００６】
本願の第３考案に係るコネクタを備えたブルートゥース無線イヤホンは、前記第１の考案であって、前記ブルートゥース無線イヤホンは、ケース外部に第一コネクタ及び第二コネクタを設置し、前記第一コネクタはマイクロホンと接続し、第二コネクタはカセット式コネクタと接続して、車用ハンドフリーホンを形成できることを特徴とするものである。
【０００７】
本願の第４考案に係るコネクタを備えたブルートゥース無線イヤホンは、前記第１の考案であって、前記ブルートゥース無線イヤホンは、ケース外部に一個のコネクタを設置し、前記コネクタはカセット式コネクタと接続し、且つイヤホンに内蔵されたマイクロホンと組み合わせることによって車用ハンドフリーホンを形成できることを特徴とするものである。
【０００８】
本願の第５考案に係るコネクタを備えたブルートゥース無線イヤホンは、前記第１の考案であって、前記ブルートゥース無線イヤホンは、ケース外部に一個のコネクタを設置し、前記コネクタをマイクロホン・カセット式コネクタ及び車用充電端子と連結した接続端子と相互接続することによって、随時充電して使用できる車用ハンドフリーホンを形成できることを特徴とするものである。
【０００９】
本願の第６考案に係るコネクタを備えたブルートゥース無線イヤホンは、前記第１の考案であって、前記ブルートゥース無線イヤホンは、ケース外部に一個のコネクタを設置し、前記コネクタを充電器と接続することによってブルートゥース無線イヤホンに対して充電する目的を達成できることを特徴とするものである。
【００１０】
本願の第７考案に係るコネクタを備えたブルートゥース無線イヤホンは、前記第３の考案であって、前記コネクタとマイクロホンの間若しくはコネクタとカセット式コネクタの間にアダプタ延長コードの増設を選択できることを特徴とするものである。
【００１１】
本願の第８考案に係るコネクタを備えたブルートゥース無線イヤホンは、前記第４の考案であって、前記コネクタとカセット式コネクタの間に、アダプタ延長コードの増設を選択できることを特徴とするものである。
【００１２】
本願の第９考案に係るコネクタを備えたブルートゥース無線イヤホンは、前記第５の考案であって、前記コネクタは、三つの入力側と一つの出力側を備えた接続端子であってよく、前記入力端子は適時にマイクロホン・カセット式コネクタ又は車用充電端子と接続でき、前記出力側はブルートゥース無線イヤホンのコネクタと接続できることを特徴とするものである。
【００１３】
本考案では、ブルートゥース無線イヤホンの任意の位置に直接又は間接的にマイクロホン若しくはカセット式コネクタと接続できる一個以上のコネクタを設置する。
ブルートゥース携帯電話を使用するとき、マイクロホンを車の適当な位置に固定し、且つマイクロホン信号線の端子をブルートゥース無線イヤホンのコネクタに差し込み、或いは直接ブルートゥース無線イヤホンに内蔵されたマイクロホンによって音声を接収するものである。
ブルートゥース無線イヤホンのコネクタとカセット式コネクタが接続された場合、カセット式コネクタによってオーディオ信号を出力し、車の音響と相まってオーディオ信号をスピーカへ伝送して放送し、更にはハンドフリーホンを形成できるようにした。
【考案の効果】
【００１４】
本考案に係るコネクタを備えたブルートゥース無線イヤホンは、その他従来の技術に比べ、更に下記のような長所がある。
１．  本考案に係るコネクタを備えたブルートゥース無線イヤホンは、ユーザーが直接耳に掛けて使用するか、或いはマイクロホン及びカセット式コネクタと接続した後、車の上に置いて車用ハンドフリーホンとして使用するか選択することができる。    
２．  本考案に係るコネクタを備えたブルートゥース無線イヤホンは、コネクタをブルートゥース無線イヤホンの任意の位置に設置し、複雑な電気回路設計を使用せず、一台で二つの機能を兼用できる。
３．  本考案に係るコネクタを備えたブルートゥース無線イヤホンでは、各種形式のコネクタであってよく、且つアダプタ延長コードによって設置の便利さを向上させることができる。
４．  本考案に係るコネクタを備えたブルートゥース無線イヤホンは、構造が簡単で、使いやすく、マルチ機能で製品寿命が長いという長所がある。
【考案を実施するための最良の形態】
【００１５】
図１は、本考案に係るコネクタを備えたブルートゥース無線イヤホンの斜視図である。
図によってわかるように、本考案では、ブルートゥース無線イヤホン１の任意の位置に第一コネクタ１１及び第二コネクタ１２を設置し、前記第一・第二コネクタ１１・１２の形式は、構造上の必要に応じて設置してよく、且つブルートゥース無線イヤホン１の内部電気回路基板と連結し、しかも直接又は間接的にマイクロホン及びカセット式コネクタと接続できるようになっている。
【００１６】
図２Ａは、本考案に係るコネクタを備えたブルートゥース無線イヤホンの第一実施形態の略図である。
図によってわかるように、本考案では、ブルートゥース無線イヤホン１は、ケースの外部に第一コネクタ１１及び第二コネクタ１２を設置し、前記第一コネクタ１１にはマイクロホン２の信号線端子２１を挿し込んで接続し、前記第二コネクタ１２には、カセット式コネクタ３の信号線端子３１を挿し込んで接続する。接続が完成すると、車用ハンドフリーホン１００を形成できるものである。
【００１７】
図２Ｂは、本考案に係るコネクタを備えたブルートゥース無線イヤホンの第一実施形態の略図である。
図によってわかるように、ブルートゥース無線イヤホンの体積がますます軽薄短小化しているので、コネクタの規格がキーポイントとなる。また、マイクロホンの信号線及びカセット式信号線の長さに制限があるため、ユーザーが車の上に取り付けて使用するとき、設置する位置が制限される。
この問題を避けるため、本考案では、第一コネクタ１１とマイクロホン２の信号線端子２１の間、及び第二コネクタ１２とカセット式コネクタ３の信号線端子３１の間に、それぞれアダプタ延長コード４１・４２を増設して上記の問題を解決した。
【００１８】
図３Ａは、本考案に係るコネクタを備えたブルートゥース無線イヤホンの第二実施形態の略図である。
図によってわかるように、本考案では、ブルートゥース無線イヤホン１は、ケースの外部にただ一個のコネクタ１３を設置し、前記コネクタ１３には、カセット式コネクタ３の信号線端子３１を挿し込んで接続する。
接続が完成すると、ブルートゥース無線イヤホン１の内蔵マイクロホン１４と組み合わせて車用ハンドフリーホン１００を形成できるものである。
【００１９】
図３Ｂは、本考案に係るコネクタを備えたブルートゥース無線イヤホンの第二実施形態の略図である。
図によってわかるように、本考案では、同様にコネクタ１３とカセット式コネクタ３の信号線端子３１の間に、アダプタ延長コード４３を増設し、規格違いや長さ不足によって生じる問題を解決している。
【００２０】
図４Ａは、本考案に係るコネクタを備えたブルートゥース無線イヤホンの第三実施形態の略図である。
図によってわかるように、本考案では、ブルートゥース無線イヤホン１は、ケースの外部にただ一個のコネクタ１６を設置し、前記コネクタ１６には、接続端子７１を挿し込んで接続する。
そして前記接続端子７１はマイクロホン２・カセット式コネクタ３及び車用充電端子５１と信号線によって接続している。
接続が完成すると、随時ブルートゥース無線イヤホン１に対し充電して使用できる車用ハンドフリーホン１００を形成できるものである。
【００２１】
図４Ｂは、本考案に係るコネクタを備えたブルートゥース無線イヤホンの第三実施形態の略図である。
図によってわかるように、本考案では、ユーザーが使用するときの便利さを考慮して、前記接続端子７２は三つの入力側及び一つの出力側の形式で設置してよい。
ユーザーは必要に応じてマイクロホン２・カセット式コネクタ３又は車用充電端子５１を接続端子７２の入力側に接続し、音声接収効果を有効に増進し、且つ適時に充電時期を選択することができるようにした。
【００２２】
図５は、本考案に係るコネクタを備えたブルートゥース無線イヤホンの第四実施形態の略図である。
図によってわかるように、本考案に係るブルートゥース無線イヤホン１は、ケースの外部にただ一個のコネクタ１５を設け、前記コネクタ１５には充電器８の電気端子８１を接続し、外部電源によってブルートゥース無線イヤホン１の中の充電電池に対して充電できるようになっている。
【００２３】
図６は、本考案に係るコネクタを備えたブルートゥース無線イヤホンを車内に置いてハンドフリーホンとする実施形態の略図である。
図によってわかるように、本考案に係るブルートゥース無線イヤホン１を車の上で接続使用する場合は、マイクロホン２を適当な位置に挟みつけ、マイクロホン２の信号線端子をブルートゥース無線イヤホン１のコネクタに挿し込み、且つカセット式コネクタ３の信号線端子をブルートゥース無線イヤホン１のもう一つ別のコネクタに挿し込み、更にカセット式コネクタ３を車用音響５２の中に置く。
車用ハンドフリーホンの設置を完成してブルートゥース携帯電話６と組み合わせて使用すると、ユーザーはハンドフリー無線通信の目的を達成することができる。
【００２４】
上記に使用されるコネクタ及びアダプタ延長コードは、製品の需要に応じて各種の規格を設置してよい（例えば、円孔及び端子形式・PIN接続形式・USBコネクタ形式等）。
【００２５】
上述の詳細な説明は本考案の実施可能な実施形態の具体的説明であり、ただしこの実施例は本考案の請求範囲を制限するものではなく、凡そ本考案の技芸精神を逸脱せずなされる同等効果の実施又は変更は、全て本考案の請求範囲内に含まれるものとする。
【図面の簡単な説明】
【００２６】
【図１】本考案に係るコネクタを備えたブルートゥース無線イヤホンの斜視図である。
【図２Ａ】前記コネクタを備えたブルートゥース無線イヤホンの第一実施形態の略図である。
【図２Ｂ】前記コネクタを備えたブルートゥース無線イヤホンの第一実施形態の略図である。
【図３Ａ】前記コネクタを備えたブルートゥース無線イヤホンの第二実施形態の略図である。
【図３Ｂ】前記コネクタを備えたブルートゥース無線イヤホンの第二実施形態の略図である。
【図４Ａ】前記コネクタを備えたブルートゥース無線イヤホンの第三実施形態の略図である。
【図４Ｂ】前記コネクタを備えたブルートゥース無線イヤホンの第三実施形態の略図である。
【図５】前記コネクタを備えたブルートゥース無線イヤホンの第四実施形態の略図である。
【図６】前記コネクタを備えたブルートゥース無線イヤホンを車内に置いてハンドフリーホンとした実施形態の略図である。
【符号の説明】
【００２７】
１・・・・・ブルートゥース無線イヤホン
１００・・・車用ハンドフリーホン
１１・・・・第一コネクタ
１２・・・・第二コネクタ
１３・・・・コネクタ
１４・・・・マイクロホン
２・・・・・マイクロホン
２１・・・・信号線端子
３・・・・・カセット式コネクタ
３１・・・・信号線端子
４１・・・・アダプタ延長コード
４２・・・・アダプタ延長コード
４３・・・・アダプタ延長コード
５２・・・・車用音響
６・・・・・ブルートゥース携帯電話
７１・・・・接続端子
７２・・・・接続端子
８・・・・・充電器
８１・・・・電気端子
【図１】
0003111782.tif 000003
【図２Ａ】
0003111782.tif 000004
【図２Ｂ】
0003111782.tif 000005
【図３Ａ】
0003111782.tif 000006
【図３Ｂ】
0003111782.tif 000007
【図４Ａ】
0003111782.tif 000008
【図４Ｂ】
0003111782.tif 000009
【図５】
0003111782.tif 000010
【図６】
0003111782.tif 000011